【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
過去の時系列データを記憶する第一の記憶手段と、
前記過去の時系列データをもとに、複数の予測モデルを用いて複数の将来の予測データを算出する予測手段と、
算出された前記複数の将来の予測データを、予測モデル別に記憶する第二の記憶手段と、
前記過去の時系列データと前記第二の記憶手段に記憶されている予測モデル毎の過去に算出された予測データとにもとづき、一の評価期間における前記複数の予測モデルの評価を行う予測モデル評価手段と、
前記複数の将来の予測データのうち、前記予測モデル評価手段による評価に従って選択された一の予測モデルによって算出された一の将来の予測データを選択するデータ選択手段と
を備えることを特徴とするデータ予測装置。
【請求項２】
過去の時系列データを記憶する第一の記憶手段と、
前記過去の時系列データをもとに、複数の予測モデルを用いて複数の将来の予測データを算出する予測手段と、
前記過去の時系列データと過去に算出された予測モデル毎の予測データとにもとづき、複数の評価期間について前記予測モデルの評価を行う予測モデル評価手段と、
前記予測モデルの評価に従って、前記複数の将来の予測データのうち、一の予測モデルによって算出された一の将来の予測データを前記複数の評価期間毎に選択する第一の予測データ選択手段と、
前記過去の時系列データと、前記評価期間毎に前記第一の予測データ選択手段で過去に選択された予測データとにもとづき、一の評価期間の選択をおこなう評価期間選択手段と、
前記第一の予測データ選択手段において、前記一の評価期間において選択された一の将来の予測データを選択する第二の予測データ選択手段と
を備えることを特徴とするデータ予測装置。
【請求項３】
過去の時系列データを記憶する第一の記憶工程と、
前記過去の時系列データをもとに、複数の予測モデルを用いて複数の将来の予測データを算出する予測工程と、
算出された前記複数の将来の予測データを、予測モデル別に記憶する第二の記憶工程と、
前記過去の時系列データと前記第二の記憶工程に記憶されている予測モデル毎の過去に算出された予測データとにもとづき、一の評価期間における前記複数の予測モデルの評価を行う予測モデル評価工程と、
前記複数の将来の予測データのうち、前記予測モデル評価工程による評価に従って選択された一の予測モデルによって算出された一の将来の予測データを選択するデータ選択工程と
を備えることを特徴とするデータ予測方法。
【請求項４】
過去の時系列データを記憶する第一の記憶工程と、
前記過去の時系列データをもとに、複数の予測モデルを用いて複数の将来の予測データを算出する予測工程と、
前記過去の時系列データと過去に算出された予測モデル毎の予測データとにもとづき、複数の評価期間について前記予測モデルの評価を行う予測モデル評価工程と、
前記予測モデルの評価に従って、前記複数の将来の予測データのうち、一の予測モデルによって算出された一の将来の予測データを前記複数の評価期間毎に選択する第一の予測データ選択工程と、
前記過去の時系列データと、前記評価期間毎に前記第一の予測データ選択工程で過去に選択された予測データとにもとづき、一の評価期間の選択をおこなう評価期間選択工程と、
前記第一の予測データ選択工程において、前記一の評価期間において選択された一の将来の予測データを選択する第二の予測データ選択工程と
を備えることを特徴とするデータ予測方法。
【手続補正２】
【補正対象書類名】明細書
【補正対象項目名】００１２
【補正方法】変更
【補正の内容】
【００１２】
【課題を解決するための手段】
第１発明に係るデータ予測装置は、過去の時系列データを記憶する第一の記憶手段と、
前記過去の時系列データをもとに、複数の予測モデルを用いて複数の将来の予測データを算出する予測手段と、算出された前記複数の将来の予測データを、予測モデル別に記憶する第二の記憶手段と、前記過去の時系列データと前記第二の記憶手段に記憶されている予測モデル毎の過去に算出された予測データとにもとづき、一の評価期間における前記複数の予測モデルの評価を行う予測モデル評価手段と、前記複数の将来の予測データのうち、前記予測モデル評価手段による評価に従って選択された一の予測モデルによって算出された一の将来の予測データを選択するデータ選択手段とを備えることを特徴とする。
【手続補正３】
【補正対象書類名】明細書
【補正対象項目名】００１３
【補正方法】変更
【補正の内容】
【００１３】
第２発明に係るデータ予測装置は、過去の時系列データを記憶する第一の記憶手段と、前記過去の時系列データをもとに、複数の予測モデルを用いて複数の将来の予測データを算出する予測手段と、前記過去の時系列データと過去に算出された予測モデル毎の予測データとにもとづき、複数の評価期間について前記予測モデルの評価を行う予測モデル評価手段と、前記予測モデルの評価に従って、前記複数の将来の予測データのうち、一の予測モデルによって算出された一の将来の予測データを前記複数の評価期間毎に選択する第一の予測データ選択手段と、前記過去の時系列データと、前記評価期間毎に前記第一の予測データ選択手段で過去に選択された予測データとにもとづき、一の評価期間の選択をおこなう評価期間選択手段と、前記第一の予測データ選択手段において、前記一の評価期間において選択された一の将来の予測データを選択する第二の予測データ選択手段とを備えることを特徴とする。
【手続補正４】
【補正対象書類名】明細書
【補正対象項目名】００１４
【補正方法】変更
【補正の内容】
【００１４】
第３発明に係るデータ予測方法は、過去の時系列データを記憶する第一の記憶工程と、前記過去の時系列データをもとに、複数の予測モデルを用いて複数の将来の予測データを算出する予測工程と、算出された前記複数の将来の予測データを、予測モデル別に記憶する第二の記憶工程と、前記過去の時系列データと前記第二の記憶工程に記憶されている予測モデル毎の過去に算出された予測データとにもとづき、一の評価期間における前記複数の予測モデルの評価を行う予測モデル評価工程と、前記複数の将来の予測データのうち、前記予測モデル評価工程による評価に従って選択された一の予測モデルによって算出された一の将来の予測データを選択するデータ選択工程とを備えることを特徴とする。
【手続補正５】
【補正対象書類名】明細書
【補正対象項目名】００１５
【補正方法】変更
【補正の内容】
【００１５】
第４発明に係るデータ予測方法は、過去の時系列データを記憶する第一の記憶工程と、前記過去の時系列データをもとに、複数の予測モデルを用いて複数の将来の予測データを算出する予測工程と、前記過去の時系列データと過去に算出された予測モデル毎の予測データとにもとづき、複数の評価期間について前記予測モデルの評価を行う予測モデル評価工程と、前記予測モデルの評価に従って、前記複数の将来の予測データのうち、一の予測モデルによって算出された一の将来の予測データを前記複数の評価期間毎に選択する第一の予測データ選択工程と、前記過去の時系列データと、前記評価期間毎に前記第一の予測データ選択工程で過去に選択された予測データとにもとづき、一の評価期間の選択をおこなう評価期間選択工程と、前記第一の予測データ選択工程において、前記一の評価期間において選択された一の将来の予測データを選択する第二の予測データ選択工程とを備えることを特徴とする。